(57)【要約】【課題】操作ワイヤを軸線方向に容易に進退操作することができるだけでなく、軸線周りにも容易に回転操作することができる内視鏡用高周波処置具の操作部を提供すること。【解決手段】操作ワイヤ２の基端部分に軸線位置を合わせて真っ直ぐに連結固定された操作摘み部材１２を、可撓性シース１の基端に連結された操作部本体１１に対して軸線方向に進退自在に且つ軸線周りに回転自在に操作部本体１１内から可撓性シース１の反対側に真っ直ぐに引き出した状態に配置し、操作ワイヤ２と電気的に導通していて高周波電源コード５０と軸線周りに回転自在に接続される接点ピン１３を、操作摘み部材１２の突端部分に操作ワイヤ２の基端部分と軸線位置を合わせて真っ直ぐに配置した。【選択図】      図１
2005198735.tif 000002
【特許請求の範囲】
【請求項１】
電気絶縁性の可撓性シース内に導電性の操作ワイヤが軸線方向に進退自在に且つ軸線周りに回転自在に挿通配置された内視鏡用高周波処置具の上記操作ワイヤを手元側で操作するための内視鏡用高周波処置具の操作部において、
上記操作ワイヤの基端部分に軸線位置を合わせて真っ直ぐに連結固定された操作摘み部材を、上記可撓性シースの基端に連結された操作部本体に対して軸線方向に進退自在に且つ軸線周りに回転自在に上記操作部本体内から上記可撓性シースの反対側に真っ直ぐに引き出した状態に配置し、上記操作ワイヤと電気的に導通していて高周波電源コードと軸線周りに回転自在に接続される接点ピンを、上記操作摘み部材の突端部分に上記操作ワイヤの基端部分と軸線位置を合わせて真っ直ぐに配置したことを特徴とする内視鏡用高周波処置具の操作部。
【請求項２】
上記操作部本体が全体として略Ｔ字状に形成されていて、その水平棒部分の一端側に上記可撓性シースの基端が連結されて、他端側から上記操作摘み部材が引き出されている請求項１記載の内視鏡用高周波処置具の操作部。
【請求項３】
上記操作部本体に対する上記操作摘み部材の進退範囲を規制するためのストッパが上記操作摘み部材に設けられている請求項１又は２記載の内視鏡用高周波処置具の操作部。
【発明の詳細な説明】
【技術分野】
【０００１】
この発明は内視鏡用高周波処置具の操作部に関する。
【背景技術】
【０００２】
内視鏡用高周波処置具は一般に、電気絶縁性の可撓性シース内に導電性の操作ワイヤが軸線方向に進退自在に挿通配置された構造になっている。
そして、手元側に設けられた操作部は、操作ワイヤの基端に連結された操作摘み部材が、可撓性シースの基端に連結された操作部本体にスライド自在に取り付けられた構成になっていて、高周波電源コードが接続されるコネクタが操作摘み部材の側面に配置されている（例えば、特許文献１）。
【特許文献１】特開昭５７−１４５６５４
【発明の開示】
【発明が解決しようとする課題】
【０００３】
内視鏡用高周波処置具のタイプによっては、操作ワイヤを軸線方向に進退操作するだけでなく、操作ワイヤを手元側から軸線周りに回転操作するようにしたものがある。
しかし、例えば図３に示されるように、従来の操作部でそのような回転操作を行うために操作摘み部材１２を操作部本体１１に対して軸線周りに回転操作すると、高周波電源コード５０が操作摘み部材１２と共に回転して操作部本体１１に巻き付いてしまうので、回転操作の度に高周波電源コード５０をコネクタ１３′から抜き差しする必要があり、操作が非常に煩わしいものになっていた。
【０００４】
そこで本発明は、操作ワイヤを軸線方向に容易に進退操作することができるだけでなく、軸線周りにも容易に回転操作することができる内視鏡用高周波処置具の操作部を提供することを目的とする。
【課題を解決するための手段】
【０００５】
上記の目的を達成するため、本発明の内視鏡用高周波処置具の操作部は、電気絶縁性の可撓性シース内に導電性の操作ワイヤが軸線方向に進退自在に且つ軸線周りに回転自在に挿通配置された内視鏡用高周波処置具の操作ワイヤを手元側で操作するための内視鏡用高周波処置具の操作部において、操作ワイヤの基端部分に軸線位置を合わせて真っ直ぐに連結固定された操作摘み部材を、可撓性シースの基端に連結された操作部本体に対して軸線方向に進退自在に且つ軸線周りに回転自在に操作部本体内から可撓性シースの反対側に真っ直ぐに引き出した状態に配置し、操作ワイヤと電気的に導通していて高周波電源コードと軸線周りに回転自在に接続される接点ピンを、操作摘み部材の突端部分に操作ワイヤの基端部分と軸線位置を合わせて真っ直ぐに配置したものである。
【０００６】
なお、操作部本体が全体として略Ｔ字状に形成されていて、その水平棒部分の一端側に可撓性シースの基端が連結されて、他端側から操作摘み部材が引き出されていてもよく、操作部本体に対する操作摘み部材の進退範囲を規制するためのストッパが操作摘み部材に設けられていてもよい。
【発明の効果】
【０００７】
本発明によれば、操作摘み部材によって操作ワイヤを軸線方向に容易に進退操作することができるだけでなく、操作摘み部材を軸線周りに回転操作したとき高周波電源コードがそれに追随して回転しないので、操作ワイヤを、高周波電源コードが捻じれることなく軸線周りに何方の方向にも任意の回転数だけ自由に回転操作することができる。
【発明を実施するための最良の形態】
【０００８】
電気絶縁性の可撓性シース内に導電性の操作ワイヤが軸線方向に進退自在に且つ軸線周りに回転自在に挿通配置された内視鏡用高周波処置具の操作ワイヤを手元側で操作するための内視鏡用高周波処置具の操作部において、操作ワイヤの基端部分に軸線位置を合わせて真っ直ぐに連結固定された操作摘み部材を、可撓性シースの基端に連結された操作部本体に対して軸線方向に進退自在に且つ軸線周りに回転自在に操作部本体内から可撓性シースの反対側に真っ直ぐに引き出した状態に配置し、操作ワイヤと電気的に導通していて高周波電源コードと軸線周りに回転自在に接続される接点ピンを、操作摘み部材の突端部分に操作ワイヤの基端部分と軸線位置を合わせて真っ直ぐに配置する。
【実施例】
【０００９】
図面を参照して本発明の実施例を説明する。
図１において、１０は内視鏡用高周波処置具の操作部であり、図示されていない内視鏡の処置具挿通チャンネルに挿脱される可撓性シース１の基端が、操作部本体１１の先端部分１１ｃに連結筒体３を介して連結固定されている。
【００１０】
可撓性シース１は、例えば四フッ化エチレン樹脂チューブ等のような電気絶縁性のチューブにより形成されている。４は、可撓性シース１が操作部本体１１との連結部の近傍で折れ曲がらないように補強をするための折れ止めチューブである。
【００１１】
可撓性シース１内には導電性の操作ワイヤ２が、軸線方向に進退自在に且つ軸線周りに回転自在に全長にわたって挿通配置されていて、図示されていない先端部分おいて電極ワイヤが可撓性シース１に連結されている。
【００１２】
操作部本体１１は全体として略Ｔ字状に形成されていて、その垂直棒部分１１ｂは操作者が握って保持するためのハンドル部であり、水平棒部分１１ａの先端部分１１ｃに可撓性シース１の基端が水平棒部分１１ａと軸線位置を合わせて真っ直ぐに連結されている。
【００１３】
そして、操作ワイヤ２の基端部分に軸線位置を合わせて真っ直ぐに連結固定された操作摘み部材１２が、操作部本体１１に対して軸線方向に進退自在に且つ軸線周りに回転自在に、操作部本体１１の後端部分１１ｄから真っ直ぐ後方に引き出されている。
【００１４】
操作摘み部材１２は、操作部本体１１の水平棒部分１１ａ内からその後方に引き出された丸棒状の棒状部分１２ａの後端部分に、指先で摘んで操作するための摘み部分１２ｂが一体に形成された構成になっていて、操作部本体１１に対する最大進退範囲を規制するための一対のストッパ１２ｃ，１２ｄが、棒状部分１２ａから鍔状に突出する状態に設けられている。
【００１５】
一対のストッパ１２ｃ，１２ｄのうち押し込み操作範囲規制側のストッパ１２ｃは棒状部分１２ａの中間部分に棒状部分１２ａと一体に形成され、引っ張り操作範囲規制側のストッパ１２ｄは、棒状部分１２ａの先端近傍部分に形成された溝にＣリング状にはめ込まれている。
【００１６】
操作部本体１１の水平棒部分１１ａの内部は、引っ張り操作範囲規制側のストッパ１２ｄが支障なく移動できるように、操作部本体１１の先端部分１１ｃ及び後端部分１１ｄの各々に形成されている孔に比べて太い空洞１１ｅになっている。
【００１７】
操作摘み部材１２の摘み部分１２ｂは棒状部分１２ａより太く形成されていて、摘み部分１２ｂの後端部分には、高周波電源コード５０の先端に設けられている接続ソケット５１と軸線周りに回転自在にクリック接続される接点ピン１３が配置されている。
【００１８】
接点ピン１３は、操作ワイヤ２の基端部分に対して軸線位置を合わせて半田付け等によって真っ直ぐ後方に向けて固着されている。５２は、図示されていない高周波電源に接続される高周波電源コード５０の電源側プラグである。
【００１９】
そのような操作ワイヤ２の基端部分と接点ピン１３は共に摘み部分１２ｂに強固に接着固定されている。したがって、摘み部分１２ｂを軸線方向に進退又は軸線周りに回転させると、それと共に操作ワイヤ２が軸線方向に進退又は軸線周りに回転する。
【００２０】
接続ソケット５１は、接点ピン１３に接続することにより操作ワイヤ２と電気的に接続された状態になって、摘み部分１２ｂの軸線方向進退と共に軸線方向に進退するが、摘み部分１２ｂに対して軸線周りに回転自在なので、摘み部分１２ｂが軸線周りに回転しても、接続ソケット５１はそれに追随して回転しないでいることができる。
【００２１】
このように構成された実施例の内視鏡用高周波処置具の操作部は、使用時には、図２に示されるように、操作者が左手で操作部本体１１の垂直棒部分１１ｂを保持し、右手で操作摘み部材１２の摘み部分１２ｂを摘んで軸線方向に進退操作することにより操作ワイヤ２を進退させることができ、摘み部分１２ｂを軸線周りに回転操作することにより、操作ワイヤ２を回転させることができる。
【００２２】
そして、摘み部分１２ｂを軸線周りに回転操作したとき高周波電源コード５０の接続ソケット５１はそれに追随して回転しないので、高周波電源コード５０が捻じれることなく、操作ワイヤ２を何方の方向にも任意の回転数だけ自由に回転操作することができる。
【図面の簡単な説明】
【００２３】
【図１】本発明の実施例の内視鏡用高周波処置具の操作部の側面断面図である。
【図２】本発明の実施例の内視鏡用高周波処置具の操作部の使用状態の斜視図である。
【図３】従来の内視鏡用高周波処置具の操作部の側面図である。
【符号の説明】
【００２４】
１  可撓性シース
２  操作ワイヤ
１０  操作部
１１  操作部本体
１１ａ  水平棒部分
１１ｂ  垂直棒部分
１２  操作摘み部材
１２ａ  棒状部分
１２ｂ  摘み部分
１２ｃ，１２ｄ  ストッパ
１３  接点ピン
５０  高周波電源コード
５１  接続ソケット
【図１】
2005198735.tif 000003
【図２】
2005198735.tif 000004
【図３】
2005198735.tif 000005